(57)【要約】【課題】基板収納ケースを機構板に対して脱着する場合や基板収納ケースを検査等する場合の手間を低減すると共に機構板設計の手間を低減可能な遊技機の提供を目的とする。【解決手段】機構板５０に取り付けられる第１基板収納ケース取付板８０と、第２基板収納ケース５７を機構板に対する固定位置と取り外し可能な非固定位置間で移動可能とする第２基板収納ケース移動手段とを備え、第１基板収納ケース取付板８０と第２基板収納ケース５７には、第２基板収納ケース５７が固定位置に移動した際に互いに係合する係合手段を備え、前記係合手段が互いに係合した状態では、第１基板収納ケース５５と第２基板収納ケース５７が並列状態となるようにした。【選択図】図３
2007167497.tif 000002
【特許請求の範囲】
【請求項１】
遊技に関する制御基板を収納する第１基板収納ケース及び第２基板収納ケースと、
前記第１基板収納ケースと前記第２基板収納ケースが取り付けられる機構板と、
を備えた遊技機において、
前記機構板に取り付けられると共に前記第１基板収納ケースを第１基板収納ケース取付手段により取り付け可能な第１基板収納ケース取付板と、
前記第２基板収納ケースを前記機構板に対する固定位置と取り外し可能な非固定位置間で移動可能とする第２基板収納ケース移動手段とを備え、
前記第１基板収納ケース取付板と前記第２基板収納ケースには、前記第２基板収納ケースが前記固定位置に移動した際に互いに係合する係合手段を備え、
前記係合手段が互いに係合した状態では、前記第１基板収納ケースと前記第２基板収納ケースが並列状態となることを特徴とする遊技機。
【請求項２】
前記係合手段は、前記第１基板収納ケース取付板と前記第２基板収納ケースのうち一方に設けられた係合部と、他方に設けられた被係合部とで構成されていることを特徴とする請求項１に記載の遊技機。
【請求項３】
前記第１基板収納ケース取付板と前記第２基板収納ケースには、前記第２基板収納ケースが前記固定位置に移動した際に互いに対向することとなる突出部を設けると共に、前記第１基板収納ケース取付板及び前記第２基板収納ケースに設けた前記突出部のうち一方の突出部に前記係合部を設け、他方の突出部に前記被係合部を設けたことを特徴とする請求項２に記載の遊技機。
【請求項４】
前記第１基板収納ケース取付板及び前記第２基板収納ケースに設けた前記突出部のうち一方の突出部は弾性片で構成されると共に、前記弾性片には他方の突出部を設けた第１基板収納ケースあるいは前記第２基板収納ケースを向く側の側面に前記係合部が突起状に設けられており、
他方の突出部は前記被係合部を構成すると共に前記弾性片の先端側から前記突起状の係合部を乗り越えることによって前記係合部と係合する構成からなり、
前記弾性片の前記係合部には係合案内部を設けていると共に、前記係合案内部を前記被係合部が押圧することにより前記弾性片が弾性変形して前記被係合部が前記係合部を乗り越えやすいように構成してあり、
前記被係合部が前記係合部を乗り越えた後の前記弾性片の復元によって前記係合部から前記被係合部を外れ難くしたことを特徴とする請求項３に記載の遊技機。
【請求項５】
前記機構板には、第１基板収納ケース取付板取付面と第２基板収納ケース取付面を設け、
前記第１基板収納ケース取付板を一面が前記第１基板収納ケース取付板取付面と略平行となるようにして前記第１基板収納ケース取付板取付面に取り付け、
前記第２基板収納ケースを一面が前記第２基板収納ケース取付面と略平行となるようにして前記第２基板収納ケース取付面に前記固定位置で取り付けることを特徴とする請求項１から４の何れか一項に記載の遊技機。
【請求項６】
前記第２基板収納ケース移動手段は、前記機構板または前記第２基板収納ケースの何れか一方に設けられた軸部と、他方に形成されて前記軸部を回動可能に保持する軸受け部とで構成され、
前記第２基板収納ケースが前記第２基板収納ケース移動手段により前記機構板から離れる方向へ向けて前記固定位置から前記非固定位置まで回動可能なことを特徴とする請求項１から５の何れか一項に記載の遊技機。
【請求項７】
前記第１基板収納ケース取付手段は、前記第１基板収納ケースを前記第１基板収納ケース取付板に沿って一方向へスライドさせた際に係合し、反対方向へスライドさせた際に係合解除されるスライド結合用係合部からなり、前記スライド結合用係合部が前記第１基板収納ケースと前記第１基板収納ケース取付板に設けられていることを特徴とする請求項１から６の何れか一項に記載の遊技機。
【請求項８】
遊技に関する制御基板を収納する第１基板収納ケース及び第２基板収納ケースと、
前記第１基板収納ケースと前記第２基板収納ケースを取り付けるための機構板と、
を備えた遊技機において、
前記第１基板収納ケースを前記機構板に対する固定位置と取り外し可能な非固定位置間で移動可能とする第１基板収納ケース移動手段と、
前記第２基板収納ケースを前記機構板に対する固定位置と取り外し可能な非固定位置間で移動可能とする第２基板収納ケース移動手段とを備え、
前記第１基板収納ケースと前記第２基板収納ケースには、前記第１基板収納ケースと前記第２基板収納ケースが各々前記固定位置に移動した際に互いに係合する係合手段を設け、
前記係合手段が互いに係合した状態では、前記第１基板収納ケースと前記第２基板収納ケースが並列状態となることを特徴とする遊技機。
【発明の詳細な説明】
【技術分野】
【０００１】
本発明は、遊技に関する制御基板を収納する第１基板収納ケース及び第２基板収納ケースと、前記第１基板収納ケース及び前記第２基板収納ケースが取り付けられる機構板とを備えた遊技機に関する。
【背景技術】
【０００２】
従来、パチンコ遊技機等の遊技機においては、遊技に関する制御を行う制御基板を収納する基板収納ケースを備えると共に、基板収納ケースを所定の位置に取り付けるための機構板を備えるものがある。
【０００３】
しかし、基板収納ケースをビスやネジなどで機構板に取り付けるようにすると、基板収納ケースの脱着に手間がかかるおそれがある。
【０００４】
また、機構板に係止フックを突設し、その係止フックによって基板収納ケースを取り付けるようにし、基板収納ケースの取り付けにビスやネジなどを用いないようにすることも可能であるが、その場合、例えば、機構板には遊技球の通過樋が設けられるため、通過樋と係止フックの位置が重なる場合には、通過樋に係止フック挿通用の孔を設ける必要があり、その孔から遊技球が流出する等の問題を生じる。そのため、機構板の設計に際して係止フックを設ける位置の設計等が困難になるおそれがある。さらに、複数の基板収納ケースを重ねて機構板に取り付ける場合、下側の基板収納ケースを検査する場合などの際に、上側の基板収納ケースを外さなければならず、手間がかかるおそれがあった。
【０００５】
【特許文献１】特開２００３−２９０５２７号公報
【発明の開示】
【発明が解決しようとする課題】
【０００６】
本発明は、前記の点に鑑みなされたものであって、基板収納ケースを機構板に対して脱着する場合や基板収納ケースを検査等する場合の手間を低減すると共に機構板設計の手間を低減可能な遊技機の提供を目的とする。
【課題を解決するための手段】
【０００７】
請求項１の発明は、遊技に関する制御基板を収納する第１基板収納ケース及び第２基板収納ケースと、前記第１基板収納ケースと前記第２基板収納ケースが取り付けられる機構板と、を備えた遊技機において、前記機構板に取り付けられると共に前記第１基板収納ケースを第１基板収納ケース取付手段により取り付け可能な第１基板収納ケース取付板と、前記第２基板収納ケースを前記機構板に対する固定位置と取り外し可能な非固定位置間で移動可能とする第２基板収納ケース移動手段とを備え、前記第１基板収納ケース取付板と前記第２基板収納ケースには、前記第２基板収納ケースが前記固定位置に移動した際に互いに係合する係合手段を備え、前記係合手段が互いに係合した状態では、前記第１基板収納ケースと前記第２基板収納ケースが並列状態となることを特徴とする。
【０００８】
請求項２の発明は、請求項１において、前記係合手段は、前記第１基板収納ケース取付板と前記第２基板収納ケースのうち一方に設けられた係合部と、他方に設けられた被係合部とで構成されていることを特徴とする。
【０００９】
請求項３の発明は、請求項２において、前記第１基板収納ケース取付板と前記第２基板収納ケースには、前記第２基板収納ケースが前記固定位置に移動した際に互いに対向することとなる突出部を設けると共に、前記第１基板収納ケース取付板及び前記第２基板収納ケースに設けた前記突出部のうち一方の突出部に前記係合部を設け、他方の突出部に前記被係合部を設けたことを特徴とする。
【００１０】
請求項４の発明は、請求項３において、前記第１基板収納ケース取付板及び前記第２基板収納ケースに設けた前記突出部のうち一方の突出部は弾性片で構成されると共に、前記弾性片には他方の突出部を設けた第１基板収納ケースあるいは前記第２基板収納ケースを向く側の側面に前記係合部が突起状に設けられており、他方の突出部は前記被係合部を構成すると共に前記弾性片の先端側から前記突起状の係合部を乗り越えることによって前記係合部と係合する構成からなり、前記弾性片の前記係合部には係合案内部を設けていると共に、前記係合案内部を前記被係合部が押圧することにより前記弾性片が弾性変形して前記被係合部が前記係合部を乗り越えやすいように構成してあり、前記被係合部が前記係合部を乗り越えた後の前記弾性片の復元によって前記係合部から前記被係合部を外れ難くしたことを特徴とする。
【００１１】
請求項５の発明は、請求項１から４の何れか一項において、前記機構板には、第１基板収納ケース取付板取付面と第２基板収納ケース取付面を設け、前記第１基板収納ケース取付板を一面が前記第１基板収納ケース取付板取付面と略平行となるようにして前記第１基板収納ケース取付板取付面に取り付け、前記第２基板収納ケースを一面が前記第２基板収納ケース取付面と略平行となるようにして前記第２基板収納ケース取付面に前記固定位置で取り付けることを特徴とする。
【００１２】
請求項６の発明は、請求項１から５の何れか一項において、前記第２基板収納ケース移動手段は、前記機構板または前記第２基板収納ケースの何れか一方に設けられた軸部と、他方に形成されて前記軸部を回動可能に保持する軸受け部とで構成され、前記第２基板収納ケースが前記第２基板収納ケース移動手段により前記機構板から離れる方向へ向けて前記固定位置から前記非固定位置まで回動可能なことを特徴とする。
【００１３】
請求項７の発明は、請求項１から６の何れか一項において、前記第１基板収納ケース取付手段は、前記第１基板収納ケースを前記第１基板収納ケース取付板に沿って一方向へスライドさせた際に係合し、反対方向へスライドさせた際に係合解除されるスライド結合用係合部からなり、前記スライド結合用係合部が前記第１基板収納ケースと前記第１基板収納ケース取付板に設けられていることを特徴とする。
【００１４】
請求項８の発明は、遊技に関する制御基板を収納する第１基板収納ケース及び第２基板収納ケースと、前記第１基板収納ケースと前記第２基板収納ケースを取り付けるための機構板と、を備えた遊技機において、前記第１基板収納ケースを前記機構板に対する固定位置と取り外し可能な非固定位置間で移動可能とする第１基板収納ケース移動手段と、前記第２基板収納ケースを前記機構板に対する固定位置と取り外し可能な非固定位置間で移動可能とする第２基板収納ケース移動手段とを備え、前記第１基板収納ケースと前記第２基板収納ケースには、前記第１基板収納ケースと前記第２基板収納ケースが各々前記固定位置に移動した際に互いに係合する係合手段を設け、前記係合手段が互いに係合した状態では、前記第１基板収納ケースと前記第２基板収納ケースが並列状態となることを特徴とする。
【発明の効果】
【００１５】
請求項１の発明によれば、機構板に取り付けられると共に第１基板収納ケースを第１基板収納ケース取付手段により取り付け可能な第１基板収納ケース取付板と、第２基板収納ケースを前記機構板に対する固定位置と取り外し可能な非固定位置間で移動可能とする第２基板収納ケース移動手段とを備え、前記第１基板収納ケース取付板と前記第２基板収納ケースには、前記第２基板収納ケースが前記固定位置に移動した際に互いに係合する係合手段を備え、前記係合手段が互いに係合した状態では、前記第１基板収納ケースと前記第２基板収納ケースが並列状態となる構成としたことにより、基板収納ケースを機構板に対して脱着する場合や基板収納ケースを検査する場合などの際に手間を低減することができると共に、基板収納ケースを取り付ける機構板の設計に手間がかかるおそれを低減することが可能である。
【００１６】
請求項２の発明によれば、前記係合手段が、前記第１基板収納ケース取付板と前記第２基板収納ケースのうち一方に設けられた係合部と、他方に設けられた被係合部とで構成されているにより、第１基板収納ケース取付板と第２基板収納ケースを係合させることが可能である。
【００１７】
請求項３の発明によれば、前記第１基板収納ケース取付板と前記第２基板収納ケースには、前記第２基板収納ケースが前記固定位置に移動した際に互いに対向することとなる突出部を設けると共に、前記第１基板収納ケース取付板及び前記第２基板収納ケースに設けた前記突出部のうち一方の突出部に前記係合部を設け、他方の突出部に前記被係合部を設けたことにより、第１基板収納ケース取付板と第２基板収納ケースを並列状態で取り付けることができ、基板収納ケースを機構板に対して脱着する場合や基板収納ケースを検査する場合などの手間を低減することができる。
【００１８】
請求項４の発明によれば、前記第１基板収納ケース取付板及び前記第２基板収納ケースに設けた前記突出部のうち一方の突出部は弾性片で構成されると共に、前記弾性片には他方の突出部を設けた第１基板収納ケースあるいは前記第２基板収納ケースを向く側の側面に前記係合部が突起状に設けられており、他方の突出部は前記被係合部を構成すると共に前記弾性片の先端側から前記突起状の係合部を乗り越えることによって前記係合部と係合する構成からなり、前記弾性片の前記係合部には係合案内部を構成していると共に、前記係合案内部を前記被係合部が押圧することにより前記弾性片が弾性変形して前記被係合部が前記係合部を乗り越えやすいように構成してあり、前記被係合部が前記係合部を乗り越えた後の前記弾性片の復元によって前記係合部から前記被係合部を外れ難くしたことにより、第１基板収納ケース取付板と前記第２基板収納ケースの係合や係合解除をし易くすることが可能である。
【００１９】
請求項５の発明によれば、前記機構板には、第１基板収納ケース取付板取付面と第２基板収納ケース取付面を設け、前記第１基板収納ケース取付板を一面が前記第１基板収納ケース取付板取付面と略平行となるようにして前記第１基板収納ケース取付板取付面に取り付け、前記第２基板収納ケースを一面が前記第２基板収納ケース取付面と略平行となるようにして前記第２基板収納ケース取付面に前記固定位置で取り付けることにより、機構板のスペースに対して第１基板収納ケースと第２基板収納ケースを効率よく取り付けることが可能である。
【００２０】
請求項６の発明によれば、前記第２基板収納ケース移動手段は、前記機構板または前記第２基板収納ケースの何れか一方に設けられた軸部と、他方に形成されて前記軸部を回動可能に保持する軸受け部とで構成され、前記第２基板収納ケースが前記第２基板収納ケース移動手段により前記固定位置から前記機構板から離れる方向へ向けて前記非固定位置まで回動可能なことにより、例えば、機構板における第２基板収納ケース取付位置の部分を検査するなどの際に、第２基板収納ケースを機構板から完全に外すことなく検査することなどが可能である。
【００２１】
請求項７の発明によれば、前記第１基板収納ケース取付手段は、前記第１基板収納ケースを前記第１基板収納ケース取付板に沿って一方向へスライドさせた際に係合し、反対方向へスライドさせた際に係合解除されるスライド結合用係合部からなり、前記スライド結合用係合部が前記第１基板収納ケースと前記第１基板収納ケース取付板に設けられていることにより、第１基板収納ケース取付板に対する第１基板収納ケース脱着の際の手間を低減することが可能である。
【００２２】
請求項８の発明によれば、第１基板収納ケースを機構板に対する固定位置と取り外し可能な非固定位置間で移動可能とする第１基板収納ケース移動手段と、第２基板収納ケースを前記機構板に対する固定位置と取り外し可能な非固定位置間で移動可能とする第２基板収納ケース移動手段とを備え、前記第１基板収納ケースと前記第２基板収納ケースには、前記第１基板収納ケースと前記第２基板収納ケースが各々前記固定位置に移動した際に互いに係合する係合手段を設け、前記係合手段が互いに係合した状態では、前記第１基板収納ケースと前記第２基板収納ケースが並列状態となることにより、基板収納ケースを機構板に対して脱着する場合や基板収納ケースを検査する場合などの際に手間を低減することができると共に、基板収納ケースを取り付ける機構板の設計に手間がかかるおそれを低減することが可能である。
【発明を実施するための最良の形態】
【００２３】
以下添付の図面に基づき本発明の好適な実施形態を説明する。図１は本発明の一実施例に係る遊技機について遊技盤の釘を省略して示す正面図、図２は同遊技機の裏面図である。
【００２４】
図１に示す本実施例の遊技機１は、遊技媒体として遊技球を用いるパチンコ遊技機であって、遊技盤３の縁に遊技球の外側ガイドレール４及び内側ガイドレール５が略円形に立設され、前記内側ガイドレール５によって囲まれた遊技領域６の中心線上にその上部から下部に向かって順に表示装置９、始動入賞口１０、特別電動役物である大入賞口１５、アウト口１７が配設され、また上方両側にはランプ風車１８ａ，１８ｂ、その下方に普通図柄変動開始用左ゲート１９及び普通図柄変動開始用右ゲート２１、その下方に左袖入賞口２３と右袖入賞口２５、さらに前記大入賞口１５の両側に左落とし入賞口２７と右落とし入賞口２９が配設されている。なお、符号２２ａ，２２ｂは風車、Ｆ１は外枠、Ｆ２は外枠Ｆ１に取り付けられた前枠、Ｇは前枠Ｆ２に開閉可能にヒンジで取り付けられたガラス枠である。
【００２５】
また、前記遊技機の前面側には、効果音等を発する音声出力装置としてのスピーカ３２、ランプ装置としての右ランプ３３ａ及び左ランプ３３ｂ、払い出された遊技球を受けるための上側球受け皿３０、該上側球受け皿３０の飽和時に遊技球を受けるための下側球受け皿３１、前記外側ガイドレール４と内側ガイドレール５間の遊技球誘導路を介して遊技球を前記遊技領域６へ発射させる発射ハンドル３５が設けられている。前記発射ハンドル３５には遊技者が発射操作を行うための発射レバー３６を備えている。以下、所要の各部について詳述する。
【００２６】
前記表示装置９は、文字又は図柄等の画像を変動表示可能なものであって、液晶，ドットマトリックス若しくはＬＥＤ表示装置等の表示装置からなり、この実施例では、液晶表示器（ＴＦＴ−ＬＣＤモジュール）で構成され、左下に普通図柄表示部４５が組み込まれ、その他の大部分が特別図柄表示部４２となっている。
【００２７】
前記特別図柄表示部４２は、判定図柄としての特別図柄を変動表示した後、遊技の当たり外れを判定する判定手段による判定結果に基づく確定判定図柄を表示する。本実施例の特別図柄表示部４２は、横に並ぶ３つの表示領域として左側表示領域、中央表示領域、右側表示領域を備え、左側表示領域では左特別図柄（左判定図柄）が、中央表示領域では中特別図柄（中判定図柄）が、右側表示領域では右特別図柄（右判定図柄）が、それぞれ変動表示し、所定時間変動表示した後、判定結果に基づき左確定特別図柄、中確定特別図柄、右確定特別図柄が確定判定図柄として停止表示される。また、前記特別図柄表示部４２には、前記特別図柄（判定図柄）に加えて背景画像（キャラクタ，背景，文字等を含む。）が表示されることもあり、該背景画像が特別図柄の変動開始等の所定条件に起因して変動表示可能となっていてもよい。なお、この実施例における前記左側表示領域、中央表示領域、右側表示領域にそれぞれ変動および停止表示される特別図柄（判定図柄）は、『１，２，３，４，５，６，７，８』の８通りの図柄とされている。本実施例では、遊技における大当たりの当否判定結果が大当たりの場合には、前記特別図柄表示部４２に大当たり確定特別図柄組合せ、この例では『１，１，１』（いわゆる‘１’のぞろ目）や『２，２，２』（いわゆる‘２’のぞろ目）等、同一数字の組合せ）で判定図柄が停止表示され、遊技者に有利な大当たり遊技（特別遊技）に移行する。
【００２８】
前記普通図柄表示部４５は、記号或いは絵（キャラクタ）等の小当たり判定用普通図柄を変動表示及び停止表示する。本実施例における普通図柄表示部４５に変動及び停止表示される普通図柄は、『０，１，２，３，４，５，６，７，８，９』の１０通りの図柄とされている。前記普通図柄は、小当たり普通図柄、この例では奇数で停止すると、小当たりとなる。
【００２９】
前記始動入賞口１０は、前記特別図柄表示部４２の真下に設けられ、２つの可動片１０ａ，１０ｂが背面の始動入賞口用ソレノイドによって略垂直で遊技球の入賞（入球）し難い狭小開放状態（通常状態）と略Ｖ字形（逆ハの字形）の入賞し易い拡開開放状態間を変化可能に制御されている。前記始動入賞口１０の拡開開放は、前記普通図柄表示部４５で普通図柄が変動した後特定の普通図柄（本実施例では奇数）で確定停止表示されて小当たり（普通図柄当たり）が成立した時に行われる。
【００３０】
また、前記遊技盤３の背面には、前記始動入賞口１０に入賞（入球）した遊技球を検出する始動入賞口検出スイッチ（始動入賞口センサ）が入賞球用通路に設けられており、本実施例では、前記始動入賞口検出スイッチによる入賞球の検出が、前記特別図柄（判定図柄）の変動表示開始に対する起因に設定されている。
【００３１】
前記普通図柄変動開始用左ゲート１９及び普通図柄変動開始用右ゲート２１は前記特別図柄表示部４２の左右に設けられ、前記遊技盤３の背面に設けられた普通図柄変動開始スイッチで両ゲート１９，２１を通過する遊技球を検出することによって前記普通図柄表示部４５で普通図柄の変動を開始させるようになっている。さらにまた、前記左袖入賞口２３と右袖入賞口２５の入賞球を検出する左袖入賞口用検出スイッチと右袖入賞口用検出スイッチ、前記左落とし入賞口２７と右落とし入賞口２９の入賞球を検出する左落とし入賞口用検出スイッチと右落とし入賞口用検出スイッチが、それぞれ対応する遊技盤背面に設けられている。
【００３２】
前記大入賞口１５は、前記始動入賞口１０の下方に設けられており、前記遊技盤３の背面に設けられた大入賞口開放用ソレノイドによって開閉する開閉板１６を備えている。この大入賞口１５は、通常は開閉板１６が閉じた状態とされ、当該大入賞口１５内の一部には、該大入賞口１５が開いた際に開口して入賞可能にする特定領域入賞口１５ａを有する。さらに、該特定領域入賞口１５ａには、所定条件時に特定領域開放用ソレノイドにより開閉される開閉扉が設けられている。また、前記特定領域入賞口１５ａには特定入賞球を検出する特定入賞球検出スイッチ（特定領域センサ）が設けられ、該入賞球の検出により大入賞口１５を再度開ける継続権利が成立するようにされている。また、大入賞口１５内の略中央には、前記大入賞口１５に入賞し、かつ前記特定領域入賞口１５ａに入賞しなかった入賞球を検出する入賞球数カウントスイッチ（カウントセンサ）が設けられている。
【００３３】
前記遊技機１における遊技について、簡単に説明する。前記発射ハンドル３５の発射レバー３６を右方向へ所要量回動させると、遊技機裏側の発射装置により遊技球が遊技領域６へ発射される。遊技領域６へ向けて発射された遊技球は、前記遊技領域６を流下する際に、前記種々の入賞口に入賞すると入賞口に応じた所定数の遊技球が賞球として上側球受け皿３０に払い出される。また、前記普通図柄変動開始用左ゲート１９及び普通図柄変動開始用右ゲート２１を遊技球が通過すると、小当たり判定・普通図柄決定用乱数値が取得され、その取得乱数値に基づいて普通図柄の当たり（小当たり）判定が行われ、前記普通図柄表示部４５で普通図柄が変動を開始し、所定時間変動後に停止する。その際、前記普通図柄の当たり判定結果が小当たりの場合には、小当たり普通図柄、この例では奇数で停止し、前記始動入賞口１０の２つの可動片１０ａ，１０ｂが背面の始動入賞口用ソレノイドによって略垂直で入賞し難い狭小開放状態（通常状態）から略Ｖ字形（逆ハの字形）の入賞し易い拡開開放状態に変化し、遊技球が入賞し易くなる。そして、前記始動入賞口１０に遊技球が入賞すると、所定数の遊技球が賞球として払い出される。
【００３４】
また、前記始動入賞口１０に遊技球が入賞すると、大当たり当否判定用乱数値及び大当たり確定特別図柄の組合せ決定用乱数値が取得され、前記取得された大当たり当否判定用乱数値に基づいて大当たりの当否判定が行われ、前記特別図柄表示部４２で特別図柄が変動を開始し、所定時間変動後に停止する。
【００３５】
前記大当たりの当否判定結果が大当たりの場合には、前記特別図柄表示部４２に大当たり確定特別図柄組合せ、この例では『１，１，１』（いわゆる‘１’のぞろ目）や『２，２，２』（いわゆる‘２’のぞろ目）等、同一数字の組合せ）で停止表示され、遊技者に有利な大当たり遊技（特別遊技）に移行する。前記大当たり遊技（特別遊技）状態になると、前記大入賞口１５の開閉板１６が開いて遊技領域６表面を落下してくる遊技球を受け止め易くして、大入賞口１５へ入賞可能にし、該大入賞口１５への入賞があると、所定数の遊技球が賞球として払い出される。前記開閉板１６は、所定時間（例えば２９．５秒）経過後、或いは入賞球数が所定個数（例えば１０個）となった時点で閉じるようにされている。また、前記大入賞口１５の開放中又は大入賞口１５が閉じてから約２秒以内に、大入賞口内の特定領域入賞口１５ａへの入賞球が検出されると、前記大当たりを再度繰り返す継続権利が発生し、所定最高回数（例えば最高１６回）、前記開閉板１６の開放を繰り返すようになっている。
【００３６】
前記遊技機１の裏面側には、図２に示すように、主基板収納ケース５１、表示基板収納ケース５２、ランプ基板収納ケース５３、音声基板収納ケース５４、払出基板収納ケース５５、発射装置基板収納ケース５６、電源基板収納ケース５７、枠用外部端子基板収納ケース５８、払出装置５９、遊技店からの遊技球を貯留するタンク６０、遊技球を前記タンク６０から前記払出装置５９へ誘導するタンクレール６１、遊技球の発射装置３７等が取り付けられている。
【００３７】
本実施例においては、前記払出基板収納ケース５５、電源基板収納ケース５７、枠用外部端子基板収納ケース５８、払出装置５９、タンク６０及びタンクレール６１については、機構板５０に取り付けられ、前記機構板５０を介して遊技機１の裏側に固定されている。また、その他の基板収納ケースや部材、装置等については、前記遊技盤３の裏側に取り付けられたり、前記前枠Ｆ２の裏側に取り付けられたりしている。
【００３８】
前記の各基板収納ケース内には、対応する制御基板がそれぞれ収納されている。すなわち、前記主基板収納ケース５１には主制御基板、前記表示基板収納ケース５２には表示制御基板、前記ランプ基板収納ケース５３にはランプ制御基板、前記音声基板収納ケース５４には音声制御基板、前記払出基板収納ケース５５には払出制御基板、前記発射装置基板収納ケース５６には発射装置制御基板、前記電源基板収納ケース５７には電源制御基板、前記枠用外部端子基板収納ケース５８には枠用外部端子制御基板が収納されている。なお、前記各制御基板は、それぞれ制御回路が設けられ、電気的に接続が可能な配線部材によって、他の制御基板や対応する装置等と接続されている。主な制御基板について、以下に簡単に説明する。
【００３９】
前記主制御基板は、ＣＰＵ，ＲＡＭ，ＲＯＭ，複数のカウンタを備えたワンチップマイクロコンピュータと、該ワンチップマイクロコンピュータと表示制御基板やランプ制御基板、音声制御基板等とを結ぶ入出力回路と、前記ワンチップマイクロコンピュータと払出制御基板等とを結ぶ入出力回路を備え、遊技の当否判定や各制御回路に対する制御等、遊技の主な制御を行う。前記主制御基板のＣＰＵは、制御部，演算部，各種カウンタ，各種レジスタ，各種フラグ等を備え、演算制御を行う他、大当たりや小当たり（始動入賞口１０の拡開開放を行う普通図柄当たり）に関する乱数等も生成し、また前記各回路に制御コマンド（制御信号）を出力（送信）可能に構成されている。前記ＲＡＭは、ＣＰＵで生成される各種乱数値用の記憶領域、各種データを一時的に記憶する記憶領域やフラグ、ＣＰＵの作業領域を備える。また、前記ＲＯＭには、遊技上の制御プログラムや制御データが書き込まれている他、大当たり及び小当たりの判定値等が書き込まれている。
【００４０】
前記表示制御基板は、前記主制御基板からのコマンドに基づいて前記表示装置９の制御、すなわち前記特別図柄表示部４２及び普通図柄表示部４５の制御を行う。前記表示制御基板には、表示制御用ＣＰＵの他に表示装置の制御データを記憶する制御データＲＯＭ、受信コマンドを一時記憶する制御データＲＡＭ、表示データを記憶する表示データＲＯＭなどを備える。
【００４１】
前記ランプ制御基板は、受信コマンドに基づいて前記ランプ装置の発光制御を行う。前記ランプ制御基板には、ランプ制御用ＣＰＵの他にランプ装置の制御データを記憶する制御データ、受信したコマンドを一時記憶する制御データＲＡＭ、発光データを記憶する発光データＲＯＭを備える。
【００４２】
前記音声制御基板は、受信コマンドに基づいて、スピーカ３２から発生させるＢＧＭや演出時の音声の選択を行い、スピーカ３２から発する音声を制御する。前記音声制御基板には、音声制御用ＣＰＵの他に音声を発生させるための制御データ等を記憶する制御データＲＯＭ、受信コマンドを一時記憶する制御データＲＡＭ、演出時の各種音声データ、ＢＧＭデータを記憶する音声データＲＯＭを備える。前記音声制御用ＣＰＵが、前記受信コマンドに基づいて音声データＲＯＭから必要な音声データを読み出し、音声信号を合成し、アンプに出力する。アンプは音声信号を増幅してスピーカ３２に出力する。
【００４３】
前記払出制御基板は前記払出装置５９による賞球及び貸球の払出を制御する。また、前記発射制御基板は、遊技者の手が発射ハンドル３５に触れているか否かを、前記発射ハンドル３５に設けられているタッチセンサ（図示せず）により検出し、前記発射装置３７を制御する。
【００４４】
前記電源制御基板は、遊技機の各部に使用される電源を制御し、各部に供給する。また、前記制御基板を収納する各基板収納ケースは、内部に前記制御基板を収納可能なケースで構成されている。
【００４５】
本実施例においては、前記機構板５０に対する前記払出基板収納ケース５５及び前記電源基板収納ケース５７の取付に本発明の構成が適用されている。前記払出基板収納ケース５５は本発明における第１基板収納ケースに相当し、一方、前記電源基板収納ケース５７は本発明における第２基板収納ケースに相当する。以下、前記機構板５０、前記払出基板収納ケース５５及び前記電源制御基板収納ケース５７について詳述する。
【００４６】
前記機構板５０は、図３及び図４に示すように、中央部に開口部５０１が形成された板状体からなって、前記遊技機１の裏側にネジ等で固定される。前記機構板５０の開口部５０１は、前記遊技盤３の裏側に取り付けられた前記主基板収納ケース５１及び前記表示基板収納ケース５２等が配置可能に構成されている。
【００４７】
前記機構板５０の裏面（遊技機の裏側方向の面）５０２には、上部にタンク配置面５０３とタンクレール配置面５０４及び枠用外部端子基板配置面５０５が設けられ、また、前記開口部５０１の一側側部に払出装置配置面５０６が設けられ、一方、前記開口部５０１の下方には、図５に示すように、払出基板収納ケース取付板取付面（本発明における第１基板収納ケース取付板取付面に相当する）５０７と、電源基板収納ケース取付面（本発明における第２基板収納ケース取付面に相当する）５０８とが、左右に並列状態で設けられている。前記タンク配置面５０３には前記タンク６０、前記タンクレール配置面５０４には前記タンクレール６１、前記枠用外部端子基板配置面５０５には前記枠用外部端子基板収納ケース５８、前記払出装置配置面５０６には前記払出装置５９が、それぞれ配置固定される。また、前記払出基板収納ケース取付板取付面５０７には払出基板収納ケース取付板８０が取り付けられ、さらに、前記払出基板収納ケース取付板８０に前記払出基板収納ケース５５が脱着可能に取り付けられる。一方、前記電源基板収納ケース取付面５０８には前記電源基板収納ケース５７が脱着可能に取り付けられる。このように、前記払出基板収納ケース５５と前記電源基板収納ケース５７が遊技機の前後方向に重ならないように並列して取り付け可能にされているため、前記払出基板収納ケース５５と前記電源基板収納ケース５７をコンパクトに配置できると共に前記機構板５０や前記払出基板収納ケース５５及び前記電源基板収納ケース５７を検査などする際に、前記払出基板収納ケース５５及び前記電源基板収納ケース５７の両方を取り外す必要がなくなるなどにより、作業の手間を低減することが可能となる。
【００４８】
前記払出基板収納ケース５５の脱着は、図６に示すように、前記払出基板収納ケース取付板取付面５０７に取り付けられた前記払出基板収納ケース取付板８０に沿って一方向へ、すなわち本実施例では機構板５０の横方向外部から機構板５０の中央側（さらに換言すると、前記電源基板収納ケース取付面５０８に取り付けられた前記電源基板収納ケース５７へ接近する方向）へ、スライドさせることにより、前記払出基板収納ケース５５を機構板５０に前記払出基板収納ケース取付板８０を介して取り付けることができ、反対方向へ、すなわち本実施例では機構板５０の中央側から機構板５０の横方向外方（さらに換言すると、前記電源基板収納ケース取付面５０８に取り付けられた前記電源基板収納ケース５７から遠ざかる方向）へ、スライドさせることにより、前記払出基板収納ケース５５を前記払出基板収納ケース取付板８０と前記機構板５０から外すことができるように構成されている。この脱着の構成については、後に詳述する。
【００４９】
一方、前記電源基板収納ケース５７は、図５に示すように、前記機構板５０の前記電源基板収納ケース取付面５０８において、前記払出基板収納ケース取付板取付面５０７から遠い側の機構板外部側端部５０９の上下に形成された軸部５１０に回動可能に取り付けられ、図６及び図１３に示すように、前記電源基板収納ケース５７の一面、本実施例では、前記機構板５０と対向する側の面５７１が前記電源基板収納ケース取付面５０８と略平行となって機構板５０からの取り外しが困難な固定位置（図１３の固定位置の状態）と、前記機構板５０の軸部５１０に係合した状態で前記機構板５０から離れると共に前記機構板からの取り外しが可能な非固定位置（図１３の非固定位置の状態）との間を回動可能とされる。前記軸部５１０は、図５から理解されるように、前記機構板５０の上下方向に沿う棒状からなり、前記軸部５１０の上下両端の腕部５１１，５１２によって前記電源基板収納ケース取付面５０８の端部５０９との間に隙間５１３を設けて形成されている。前記電源基板収納ケース５７は、前記固定位置では前記機構板５０から外すことができないのに対し、前記非固定位置では、前記電源基板収納ケース５７を前記軸部５１０と垂直の横方向へ移動させることにより、前記軸部５１０との係合を解除して機構板５０から外すことができるように構成されている。この脱着の構成には後に詳述する。
【００５０】
また、図４に示すように、前記機構板５０の前面（遊技機の前面側方向の面）５０３には、遊技球の通過する遊技球通過樋５１１が下部に形成されている。前記遊技球通過樋５１１の位置は、本実施例では、前記裏面５０１の前記払出基板収納ケース取付板取付面５０７及び前記電源基板収納ケース取付面５０８とは反対側の位置とされている。
【００５１】
前記払出基板収納ケース取付板８０は、本発明における第１基板収納ケース取付板に相当し、プラスチックや金属板などからなり、前記遊技機１の裏側にネジや係合爪など（本実施例ではネジ）で取り付けられる。前記払出基板収納ケース取付板８０は、図７及び図８から理解されるように、取付板部８０１、第１突出部８１０、第２突出部８２０、第１位置決め係合部８３１、第２位置決め係合部８３２、第３位置決め係合部８３３及び第４位置決め係合部８３４とからなる。
【００５２】
前記取付板部８０１は、前記払出基板収納ケース５５が配置可能なように前記払出基板収納ケース５５の平面視形状に合わせた略長方形の板状体からなり、前記機構板８０への取付用ネジ孔８０２が複数箇所に形成されている。前記取付板部８０１は、遊技機１の前面方向の一面８０３が前記機構板５０の払出基板収納ケース取付板取付面５０７と略平行となるようににして取り付けられる。
【００５３】
前記第１突出部８１０は、前記取付板部８０１において、前記機構板５０の中央寄り側、すなわち前記払出基板収納ケース５５を取り付ける際のスライド方向側の端部の一辺８０４（さらに換言すれば、前記電源基板収納ケース取付面５０８に近い側の端部の一辺８０４）に、遊技機後方側へ略垂直方向に突出形成された弾性片で構成されている。このように第１突出部８１０を遊技機後方側へ突出させて前記取付板部８０１に形成したことにより、前記第１突出部８１０に邪魔されることなく前記取付板部８０１を機構板５０の払出基板収納ケース取付板取付面５０７にスペース上効率よく取り付けることが可能となる。
【００５４】
前記弾性片からなる第１突出部８１０は、前記第２基板収納ケース取付面５０８に取り付けられた前記第２基板収納ケース５７を向く側の側面８１１に、係合部８１３が前記取付板部８０１と略平行に突起状（爪状）に形成されている。前記係合部８１３の側面形状は略三角形からなり、前記第１突出部８１０の先端側を向く面が傾斜面からなる係合案内部８１４を構成している。前記構成の第１突出部（弾性片）８１０は、図１４に示すように、前記電源基板収納ケース５７を固定位置から非固定位置へ回動させる際に、前記電源基板収納ケース５７に設けられている突出部５７９からなる被係合部５７８が、前記第１突出部（弾性片）８１０の先端側から前記係合案内部８１４を押すことにより、前記第２基板収納ケース５７から遠ざかる方向へ弾性変形して撓み、前記被係合部５７８が前記係合部８１４を乗り越え易くする。そして、前記被係合部５７８が前記係合部８１３を乗り越えると、前記第１突出部（弾性片）８１０は、弾性により再び元の位置に戻り、前記係合部８１３と前記被係合部５７８が係合する。前記係合部８１３と前記被係合部５７８は、本発明における係合手段に相当する。また、前記払出基板収納ケース取付板８０の第１突出部８１０と後述の電気基板収納ケース５７に形成されている突出部５７９は、本発明において第２基板収納ケースが固定位置に移動した際に互いに対向することとなる突出部に相当する。
【００５５】
前記第２突出部８２０は、前記取付板部８０１において、前記第１突出部８１０とは反対側の端部の一辺８０５に、すなわち前記払出基板収納ケース５５を外す際のスライド方向側の端部の一辺８０５（さらに換言すれば、前記電源基板収納ケース取付面５０８にから遠い側の端部の一辺８０５）に、前記取付板部８０１と略平行方向に突出して形成されている。前記第２突出部８２０は、弾性片からなり、先端側に遊技機後方側へ突出形成された突起状の係合爪８２１が形成され、前記払出基板収納ケース５５を前記取付板部８０１に取り付けた際に、前記係合爪８２１が前記払出基板収納ケース５５の一側側面と係合するように構成されている。
【００５６】
前記第１位置決め係合部８３１及び第２位置決め係合部８３２は、前記第１突出部８１０及び第２突出部８２０が設けられている辺８０４，８０５とは異なる一辺８０６に設けられ、また、前記辺８０６とは反対側の辺８０７に前記第３位置決め係合部８３３が設けられている。本実施例では、前記第１位置決め係合部８３１及び第２位置決め係合部８３２が設けられる辺８０６は、前記払出基板収納ケース取付板８０が前記機構板５０の払出基板収納ケース取付板取付面５０７に取り付けられた際に、前記取付板部８０１の上側となる辺とされ、それに対して、前記第３位置決め係合部８３３が設けられる辺８０７は、前記取付板部８０１の下側となる辺とされている。また、前記第４位置決め係合部８３４は、前記第１突出部８１０が設けられている辺８０４に形成されている。前記第１位置決め係合部８３１、第２位置決め係合部８３２、第３位置決め係合部８３３及び第４位置決め係合部８３４は、何れも内向きの爪で構成され、かつ、前記取付板部８０１の遊技機後方側を向く面８０８との間に所定の隙間を形成している。
【００５７】
前記払出基板収納ケース５５は、図９及び図１０に示すように、平面視形状が略長方形の箱体からなり、前記払出基板収納ケース取付板８０への脱着時のスライド方向とは直交する方向の両側側面に、前記払出基板収納ケース取付板８０の第１位置決め係合部８３１、第２位置決め係合部８３２、第３位置決め係合部８３３と係合する第１位置決め被係合部５５１、第２位置決め被係合部５５２、第３位置決め被係合部５５３が設けられ、また前記払出基板収納ケース取付板８０への装着時のスライド方向側端部の側面には、前記払出基板収納ケース取付板８０の第４位置決め係合部８３４と係合する第４位置決め被係合部５５４が突出して形成されている。
【００５８】
前記第１〜第４位置決め被係合部５５１〜５５４は、前記払出基板収納ケース５５が、スライドにより前記払出基板収納ケース取付板８０に取り付けられる際に、それぞれ対応する前記第１〜第４位置決め係合部８３１〜８３４と前記取付板部８０１の遊技機後方側を向く面８０８との隙間に進入し、前記払出基板収納ケース５５が固定位置とされた際に、前記第１〜第４位置決め係合部８３１〜８３４と前記取付板部８０１の遊技機後方側を向く面８０８との前記隙間に位置して、前記第１〜第４位置決め係合部８３１〜８３４と係合する。また、前記払出基板収納ケース５５がスライドにより前記払出基板収納ケース取付板８０に取り付けられる際には、前記第２突出部８２０が前記払出基板収納ケース５５の取付側の面（前記払出基板収納ケース取付板８０を向く面）で押されて弾性変形し、前記払出基板収納ケース５５のスライドを可能とする。そして、前記払出基板収納ケース５５が前記払出基板収納ケース取付板８０における固定位置までスライドすると、前記第２突出部８２０が前記払出基板収納ケース５５による押圧が解除されて元の位置に戻り、前記第２突出部８２０の係合爪８２１が前記払出基板収納ケース５５の一側側面５５６と係合する。図３、図１１及び図１３に、前記払出基板収納ケース５５が固定位置の状態を示す。一方、前記払出基板収納ケース５５を前記払出基板収納ケース取付板８０から外す際は、前記第２突出部８２０を前記機構板５０側へ押して弾性変形させることにより前記第２突出部８２０の係合爪８２１と前記払出基板収納ケース５５の一側側面５５６との係合を解除し、その状態で前記払出基板収納ケース５５を機構板５０の横方向外方へスライドさせることにより、前記第１〜第４位置決め係合部８８１〜８８４と前記第１位置決め被係合部５５１〜５５４の係合を解除する。前記第１〜第４位置決め係合部８３１〜８３４と前記第１〜第４位置決め被係合部５５１〜５５４は、本発明におけるスライド結合用係合部及び第１基板収納ケース取付手段に相当する。
【００５９】
なお、前記払出基板収納ケース５５は、ケース体５５８と該ケース体５５８に被さるカバー体５５９で構成され、前記ケース体５５８とカバー体５５９を組み合わせて結合するための係合部分が前記第１位置決め被係合部５５１と前記第２位置決め被係合部５５２で兼用され、また、前記払出基板収納ケース５５において、前記第１位置決め被係合部５５１と第２位置決め被係合部５５２が設けられている側面とは反対側の側面には、前記ケース体５５８とカバー体５５９を組み合わせて結合するための他の係合部分５６０，５６１が形成されている。
【００６０】
前記電気基板収納ケース５７は、図１２に示すように、平面視形状が横長な箱体からなり、前記機構板５０における電気基板収納ケース取付面５０８の機構板外部側端部５０９と対応する端部５７４に、軸受け部５７６が、前記機構板外部側端部５０９の軸部５１０と位置を合わせて形成されている。前記軸受け部５７６は、円弧状湾曲面形状からなり、前記機構板５０における外部側端部５０９と軸部５１０間の隙間５１３（図５に示す）に挿入されて前記軸部５１０の外周を略半分程度包囲することにより前記軸部５１０と係合し、前記電気基板収納ケース５７を、前記機構板５０から離れる方向、すなわち、前記機構板５０の電気基板収納ケース取付面５０８に対して垂直方向へ向けて前記固定位置から前記非固定位置まで回動可能に構成されている。また、前記軸受け部５７６の開口部分５７７を利用して前記軸受け部５７６と前記軸部５１０との係合を解除し、前記電気基板収納ケース５７を前記機構板５０から取り外すことが可能とされている。前記機構板５０の軸部５１０と前記電気基板収納ケース５７の軸受け部５７６は、本発明において、前記電気基板収納ケース（第２基板収納ケース）５７を取り外し困難な固定位置と取り外し可能な非固定位置間で移動可能とする第２基板収納ケース移動手段に相当する。
【００６１】
前記電気基板収納ケース５７において、前記軸受け部５７６が形成されている端部５７４とは反対側の機構板中央側となる端部５７５には、前記被係合５７８を構成する突出部５７９が形成されている。前記突出部５７９は、図１３に示すように、前記電気基板収納ケース５７において、前記機構板５０の電気基板収納ケース取付面５０８と対向する側の面５７１が前記電源基板収納ケース取付面５０８と略平行とされ、前記機構板５０からの電気基板収納ケース５７の取り外しが困難な固定位置（図１３の固定位置の状態）へ前記電気基板収納ケース５７が移動した際に、前記払出基板収納ケース取付板８０の第１突出部８１０と対向するように設けられ、その固定位置で、前記第１突出部８１０の係合部８１３と前記突出部５７９で構成される前記被係合部５７８とが係合するように構成されている。また、前記電気基板収納ケース５７の固定位置において、前記第１突出部８１０の係合部８１３と前記突出部５７９で構成される被係合部５７８が係合した状態では、前記突出部５７９（被係合部５７８）を破壊しなければ、前記電気基板収納ケース５７を回動不可能とし、移動を規制するように構成されている。前記電気基板収納ケース５７を前記固定位置から前記非固定位置（固定位置以外の回動位置）へ回動させるには、前記第１突出部８１０を前記電気基板収納ケース５７から離れる方向へ弾性変形により撓ませて、前記第１突出部８１０の係合部５１３と前記突出部５７９で構成される被係合部５７８の係合を解除すればよい。なお、前記電源基板収納ケース５７は、図１２に示すように、ケース体５８１とカバー体５８２で構成され、組み合わせ時の組み合わせ係合部５８３が複数箇所に形成されている。
【００６２】
このように、前記実施例においては、前記払出基板収納ケース（第１基板収納ケース）と電源基板収納ケース（第２基板収納ケース）が各々機構板に取り付けられて固定位置の状態となった場合には機構板に対して略平行で並列状態となるため、機構板に対して前記払出基板収納ケース（第１基板収納ケース）と電源基板収納ケース（第２基板収納ケース）が重なることなく配置可能であり、基板収納ケースが重なる位置を減少させることが可能であるため、機構板における払出基板収納ケース（第１基板収納ケース）取付位置や電源基板収納ケース（第２基板収納ケース）取付位置の確認がし易くなる。
【００６３】
また、前記実施例においては、前記払出基板収納ケース（第１基板収納ケース）及び電源基板収納ケース（第２基板収納ケース）を余分な部材を設けることなく機構板に取り付けることが可能であり、各基板収納ケースの脱着がし易くなる。
【００６４】
さらに、機構板には前記払出基板収納ケース（第１基板収納ケース）及び電源基板収納ケース（第２基板収納ケース）に対する取付用の爪を設けていないため、機構板の設計時に遊技球通過樋と爪部が干渉するおそれを気にすることなく設計することが可能となる。
【００６５】
また、前記電源基板収納ケース（第２基板収納ケース）は、一部が機構板に保持されて回動するため、電源基板収納ケース（第２基板収納ケース）取付位置を確認する際に一旦電源基板収納ケース（第２基板収納ケース）を外す必要が無くなる。
【００６６】
前記電源基板収納ケース（第２基板収納ケース）は、前記電源基板収納ケース（第２基板収納ケース）の突出部と払出基板収納ケース取付板（第１基板収納ケース取付板）の突出が係合することで取付状態（固定位置の状態）となり、不意に電源基板収納ケース（第２基板収納ケース）が外れたりするおそれを低減することが可能である。ここまでの実施例で概念化した構成を以下に記載する。
【００６７】
（１）前記第１基板収納ケースと前記第２基板収納ケースにおける前記係合部と前記被係合部のうち一方には、前記係合部と被係合部の係合を解除しない限りは前記第２基板収納ケースを前記固定位置から前記非固定位置に移動することを抑制する移動抑制部を設けたことを特徴とする。前記移動抑制部は、図１４に示す前記第１突出部８１０の係合部８１３において第１突出部８１０の基部側の面８１５、すなわち前記係合部８１３において前記係合案内部８１４とは反対側の面８１５、さらに換言すると、突起状（爪状）の前記係合部８１３を前記第１突出部８１０の先端側から乗り越えた側の面８１５が相当する。
【００６８】
（２）前記係合部と前記被係合部のうち一方には、前記第２基板収納ケースを前記非固定位置から前記固定位置へ誘導する固定位置誘導部を設けたことを特徴とする。前記固定位置誘導部は、前記係合案内部８１４が相当する。
【００６９】
（３）前記第１基板収納ケース取付板の突出部と前記第２基板収納ケースの突出部の少なくとも一方には爪部（突起状の係合部）が形成されており、前記爪部には、前記移動規制手段と前記固定位置誘導部を設けていることを特徴とする。この構成によれば、前記第２基板収納ケースを固定位置に取り付けた状態の際に、不意に取付状態が解除されることを低減することが可能であると共に、前記第２基板収納ケースを前記非固定位置から前記固定位置へ誘導し易くすることが可能である。
【００７０】
なお、前記実施例においては、電源基板収納ケース（第２基板収納ケース）を回動する構成としているが、それに限るものではなく、例えば、前記払出基板収納ケース取付板（第１基板収納ケース取付板）と同様の構成を有する電源基板収納ケース取付板（第２基板収納ケース取付板）を設けてスライドによる移動可能とすると共に、払出基板収納ケース（第１基板収納ケース）側については回動可能としてもよい。また、双方の基板収納ケースにそれぞれ基板収納ケース取付板を設ける構成としてもよい。これにより、前記効果が双方の基板収納ケースに発揮できるものとなり、本発明の効果を向上させることが可能となる。
【００７１】
また、前記基板収納ケース取付板をノイズ対策用の遮蔽板にしてもよい。これにより、基板収納ケース内の制御基板などがノイズで破損するおそれを低減することが可能である。
【００７２】
また、弾性を有する第１突出部に突起状（爪状）の係合部を設けると共に、前記係合部に係合する突出部により係合手段を構成しているが、係合手段はそれに限るものではなく、払出基板収納ケース取付板（第１基板収納ケース取付板）と電気基板収納ケース（第２基板収納ケース）を係合することが可能なものであれば、どのような構成でもよい。
【００７３】
本実施例において、払出基板収納ケース取付板（第１基板収納ケース取付板）に払出基板収納ケース（第１基板収納ケース）を脱着する方法は、スライドによる方法を採用しているが、それに限るものではなく、電源基板収納ケース（第２基板収納ケース）の回動構造と同様に、払出基板制御基板（第１基板収納ケース）を払出基板収納ケース取付板（第１基板収納ケース取付板）に対して回動可能にしてもよい。さらに、前記第１突出部８１０と同様の弾性片からなると共に係合部と係合案内部を設けた第３突出部を払出基板収納ケース取付板（第１基板収納ケース取付板）に設けると共に、払出基板収納ケース（第１基板収納ケース）において軸部または軸受け部を設けた側壁とは反対の側壁に突出部を設けて、払出基板収納ケース（第１基板収納ケース）を払出基板収納ケース取付板（第１基板収納ケース取付板）に取り付ける際、回動により払出基板収納ケース（第１基板収納ケース）を固定位置に移動させたときに、払出基板収納ケース（第１基板収納ケース）の突出部を払出基板収納ケース取付板（第１基板収納ケース取付板）の第３突出部と係合して固定する構成でもよい。これを概念化すると、前記第１基板収納ケース又は前記第１基板収納ケースの何れか一方に形成された第１基板収納ケース用軸部と他方に形成されると共に前記第１基板収納ケース用軸部が挿入されて該軸部を回動可能に保持する第１基板収納ケース用軸受け部とで構成された第１基板収納ケース回動手段を備え、前記第１基板収納ケース回動手段により前記第１基板収納ケースを前記第１基板収納ケース取付板の存在する側とは反対方向に回動可能な構成であり、前記第１基板収納ケース回動手段と前記結合用係合部（前記第３突出部と突出部に相当する）とで第１基板収納ケース取付手段を構成し、前記第１基板収納ケースを第１基板収納ケース取付位置（固定位置）で取付状態時（固定状態）に前記結合用係合部が係合し、前記結合用係合部の係合を解除することにより、前記第１基板収納ケース回動手段による回動を可能にする構成であることを特徴とする構成である。この構成によれば、例えば、機構板や第１基板収納ケース取付板における第１基板収納ケースの取付位置を検査などする際に、一旦第１基板収納ケースを外すことなく検査することなどが可能である。
【００７４】
さらにこの場合、図１５に示すように、第１突出部８１０Ａにおける電源基板収納ケース５７側を向く突起状（爪状）の係合部８１３Ａとは反対側に突起状（爪状）の係合部８１５Ａを設けて、前記第３突出部を第１突出部８１０Ａで兼用させてもよい。なお、前記図１〜図１４の実施例と同一の部分は、前記実施例と同一の符号を用いて示した。また、符号８１４Ａ，８１６Ａは係合案内部、５５Ａは払出基板収納ケース、５５１Ａは前記払出基板収納ケース５５Ａに形成された軸受け部、５５２Ａは払出基板収納ケース５５Ａに形成された突出部、８０Ａは払出基板収納ケース取付板、８１０Ａは前記払出基板収納ケース取付板８０Ａに形成された軸部であって、前記払出基板収納ケース５５Ａの軸受け部５５１Ａを回動可能に挿入保持可能とされている。この構成により、余分な部材を必要とすることなく、払出基板収納ケース（第１基板収納ケース）５５Ａと電気基板収納ケース（第２基板収納ケース）５７を取り付けることが可能である。
【００７５】
また、前記実施例では、基板収納ケース取付板を払出制御基板収納ケース（第１基板収納ケース）のみに取り付ける構成としているが、例えば、図１６に示すように、基板収納ケース取付板８０Ｂの面積を大きくし、払出制御基板収納ケース（第１基板収納ケース）５５Ｂと電源基板収納ケース（第２基板収納ケース）５７Ｂの双方を基板収納ケース取付板８０Ｂに取り付ける構成としてもよい。その場合、前記基板収納ケース取付板８０Ｂには、係合部と被係合部で構成される係合手段や第１基板収納ケース取付手段や第２基板収納ケース移動手段などを設ける構成としてもよい。
【００７６】
前記実施例では、電源基板収納ケース（第２基板収納ケース）を回動により固定位置と非固定位置間を移動する構成にしているが、それに限るものではなく、スライドにより移動する構成としてもよい。
【００７７】
前記実施例では、払出基板収納ケース取付板（第１基板収納ケース取付板）に第１突出部（突出部）を設ける構成としているが、それに限るものではなく、図１７に示すように、払出基板収納ケース５５Ｃ（第１基板収納ケース）自体に第１突出部５５１Ｃ（突出部）を設けるようにして、前記払出基板収納ケース取付板を用いない構成としてもよい。また、その場合、前記払出基板収納ケース（第１基板収納ケース）５５Ｃと電源基板収納ケース（第２基板収納ケース）５７Ｃを固定位置と非固定位置で移動させる手段は、回動によるものに限られず、例えばスライドによるものであってもよい。
【００７８】
また、本発明は、少なくとも２つの並列した基板収納ケースの取付順序を規制する構成としてもよい。例えば、電源基板収納ケース（第２基板収納ケース）を係合手段の解除で外さない限り、払出基板収納ケース（第１基板収納ケース）を外せない構成にするなどである。この構成とすることにより、複数の基板収納ケースを機構板に脱着する順序を明確にすることが可能である。
【００７９】
なお、前記実施例例では、第１基板収納ケース及び第２基板収納ケースとして、払出基板収納ケースと電源基板収納ケースを例にして説明したが、本発明における第１基板収納ケースと第２基板収納ケースは、払出基板収納ケースと電源基板収納ケースに限定されるものではなく、他の基板収納ケースについても適用可能である。また、本発明は、パチンコ遊技機に限られず、制御基板を収納する第１基板収納ケースと第２基板収納ケースを有する遊技機であれば適用可能である。
【図面の簡単な説明】
【００８０】
【図１】本発明の一実施例に係る遊技機について遊技盤の釘を省略して示す正面図である。
【図２】同遊技機の裏面図である。
【図３】機構板の裏側斜視図である。
【図４】機構板の前面側斜視図である。
【図５】機構板と払出基板収納ケースと電源基板収納ケースの分解斜視図である。
【図６】払出基板収納ケースと電源基板収納ケースの移動を示す機構版の斜視図である。
【図７】払出基板収納ケース取付板の払出基板収納ケース取付側斜視図である。
【図８】払出基板収納ケース取付板の機構板への取付側斜視図である。
【図９】払出基板収納ケースの斜視図である。
【図１０】払出基板収納ケース取付板に対する払出基板収納ケースの脱着を示す斜視図である。
【図１１】払出基板収納ケース取付板に取り付けた払出基板収納ケースの斜視図である。
【図１２】電源基板収納ケースの斜視図である。
【図１３】電源基板収納ケースの固定位置と非固定位置を示す図である。
【図１４】係合部と被係合部が係合する際を示す図である。
【図１５】第２実施例の払出基板収納ケース及び電源基板収納ケースの固定位置と非固定位置の状態を示す図である。
【図１６】第３実施例の払出基板収納ケース及び電源基板収納ケースの固定位置と非固定位置の状態を示す図である。
【図１７】第４実施例の払出基板収納ケース及び電源基板収納ケースの固定位置と非固定位置の状態を示す図である。
【符号の説明】
【００８１】
１  遊技機
３  遊技盤
６  遊技領域
９  表示装置
３５  発射ハンドル
５０  機構板
５０７  第１基板収納ケース取付板取付面
５０８  第２基板収納ケース取付面
５１０  軸部
５５  払出基板収納ケース（第１基板収納ケース）
５５１  第１位置決め被係合部（スライド結合用係合部）
５５２  第２位置決め被係合部（スライド結合用係合部）
５５３  第３位置決め被係合部（スライド結合用係合部）
５５４  第４位置決め被係合部（スライド結合用係合部）
５７  電源基板収納ケース（第２基板収納ケース）
５７６  軸受け部
５７８  被係合部（第２基板収納ケースの突出部５７９からなる被係合部）
５７９  突出部（第２基板収納ケースに形成された突出部）
８０  第１基板収納ケース取付板
８１０  第１突出部（第１基板収納ケース取付板に形成された突出部）
８１３  係合部（第１基板収納ケース取付板の突出部に形成された係合部）
８１４  係合案内部
８３１  第１位置決め係合部（スライド結合用係合部）
８３２  第２位置決め係合部（スライド結合用係合部）
８３３  第３位置決め係合部（スライド結合用係合部）
８３４  第４位置決め係合部（スライド結合用係合部）
【図１】
2007167497.tif 000003
【図２】
2007167497.tif 000004
【図３】
2007167497.tif 000005
【図４】
2007167497.tif 000006
【図５】
2007167497.tif 000007
【図６】
2007167497.tif 000008
【図７】
2007167497.tif 000009
【図８】
2007167497.tif 000010
【図９】
2007167497.tif 000011
【図１０】
2007167497.tif 000012
【図１１】
2007167497.tif 000013
【図１２】
2007167497.tif 000014
【図１３】
2007167497.tif 000015
【図１４】
2007167497.tif 000016
【図１５】
2007167497.tif 000017
【図１６】
2007167497.tif 000018
【図１７】
2007167497.tif 000019